(57)【要約】【課題】待機電力モードを有する機器において、ユーザーに省電力モードと時刻設定とを選択できるようにする。【解決手段】待機電力を低減機能を有する構成において、時刻設定手段２０により時刻設定がなされない場合でかつ、調理メニュー等を設定するキー入力手段６を所定時間、操作されない場合には電力開閉手段５をＯＦＦさせる信号を出力する構成としたものである。これによってユーザーが自由に省電力モードと時刻機能とを選択できるようにしている。また、時刻設定を解除する時刻解除手段２１を備えた構成としているので、いつでも簡単に設定を切り替えることができる。【選択図】  図１
2004308952.tif 000002
【特許請求の範囲】
【請求項１】
機器を制御する制御手段と、前記制御手段へ電力を供給する電源回路と、前記電源回路と前記制御手段との間に設けられ前記制御手段への電力をＯＮ／ＯＦＦする電力開閉手段と、各種の設定を行うキー入力手段と、時刻設定を行う時刻設定手段とを備え、前記制御手段は、電源が供給されることにより動作すると共に前記電力開閉手段をＯＮさせる信号を出力し、一方、前記時刻設定手段により時刻設定がなされない場合でかつ、前記キー入力手段を所定時間操作されない場合には前記電力開閉手段をＯＦＦさせる信号を出力する構成とした家電機器。
【請求項２】
ドアを有し、前記ドアの開成／閉成に連動して動作するドアスイッチと、前記ドアスイッチの開成／閉成の遷移を検出するドア検出手段と、機器を制御する制御手段と、前記制御手段へ電力を供給する電源回路と、前記電源回路と前記制御手段との間に設けられ前記制御手段への電力をＯＮ／ＯＦＦする電力開閉手段と、各種の設定を行うキー入力手段と、時刻設定を行う時刻設定手段とを備え、前記ドア検出手段は、ドアが開成／閉成の遷移を検出したとき前記電力開閉手段へＯＮ信号を出力し、前記制御手段は、電源が供給されることにより動作すると共に前記電力開閉手段をＯＮさせる信号を出力し、一方、前記時刻設定手段により時刻設定がなされない場合でかつ、前記キー入力手段を所定時間操作されない場合には前記電力開閉手段をＯＦＦさせる信号を出力する構成とした家電機器。
【請求項３】
時刻設定手段は、時刻設定を解除する時刻解除手段を備えた請求項１または２に記載の家電機器。
【発明の詳細な説明】
【０００１】
【発明の属する技術分野】
本発明は家電製品に関し、待機時の消費電力の低減するための制御回路に関する。
【０００２】
【従来の技術】
最近、地球環境にやさしい機器の開発が望まれており、特に日常的に使用される家電製品については消費電力に関する法制化も推進されている。その中で、非動作時である待機時の電力は全消費電力の１割から２割とも言われており特に注目されている。
【０００３】
電子レンジに関しても実際の使用実態を考えると、高周波加熱、ヒータ等使用した実調理時間よりも非動作時間すなわち待機時間の方が圧倒的に多いのが実状である。
【０００４】
従来この電子レンジは図４に示すように、ドアスイッチ１の開成／閉成を検出するドア検出手段２と、機器を制御する制御手段３と、制御手段へ電力を供給する電源回路４と、電源回路４と制御手段３との間に設けられ電源供給のＯＮ／ＯＦＦする電力開閉手段５から構成されており、ドア検出手段２が、ドア１の開成／閉成の遷移を検出したときに電力開閉手段５をＯＮするようになっている。ドア１が閉成されると、電力開閉手段５を介して制御手段３に電力が供給され、制御手段３から電力開閉手段５にＯＮ信号を出力し、継続的に制御手段３に電力が供給されることになる。一方、制御手段３は、例えばキー入力手段６からの入力がなく所定時間動作状態が遷移しない場合は、電力開閉手段５にＯＦＦ信号を出力し、電力供給を遮断する構成となっている（例えば特許文献１参照）。
【０００５】
また、他の従来の電子レンジは、図５に示すように商用電源７と、制御回路８へ電力を供給する電源回路９との間に介設されたドアの開閉に連動して動作するドアスイッチ１０と、このドアスイッチ４に並列に接続されて電力開閉手段１１とが設けられている。制御回路８は、ドアの開成によりドアスイッチ１０を介し電力が供給されると共に、ドアの開成を検出するドアスイッチ回路１２の信号に基づいて、制御回路８より出力回路１３を介して電力開閉手段１１をＯＮし自己保持する。そのため制御回路８への電力を継続的に供給されることになる。またドアが閉じて一定時間内にドアスイッチ回路１２またはキー入力回路１４からの入力が無い場合は制御回路８、出力回路１３を介して電力開閉手段１１をＯＦＦさせるように構成されている。また、一方で、キー入力回路１４から所定の指示がなされた時には、ドアが閉成された後所定のタイマー時間の計時が終了した後も電力開閉回路８をＯＦＦさせない構成とし、例えば、時刻等の表示を継続的に行えるようにしていた（例えば特許文献２参照）。
【０００６】
【特許文献１】
特開２００２−２２１８１号公報
【特許文献２】
特開平１０−０８９６９９号公報
【０００７】
【発明が解決しようとする課題】
しかしながら、前記従来例の第一の従来例では、状態遷移がない場合、強制的に電源を遮断するため、時刻機能を搭載することができないという課題を有していた。時刻機能を欲されるユーザーも多い中、対応できない構成となっている。
【０００８】
また、前記従来例の第二の従来例では、キー入力回路により一度時刻設定をすると設定を解除する機能がなく、電源コンセントをＯＦＦしない限り待機時に省電力モードにできないという課題を有していた。
【０００９】
本発明は、前記従来の課題を解決するもので、省電力構成と時刻設定手段と時刻設定の解除手段を設けることにより、ユーザーに省電力モードと時刻設定を選択できるようにした家電機器を提供することを目的とする。
【００１０】
【課題を解決するための手段】
前記従来の課題を解決するために、本発明の家電機器では、待機電力を低減する構成において、前記時刻設定手段により時刻設定がなされない場合でかつ、前記キー入力手段を所定時間、操作されない場合には前記電力開閉手段をＯＦＦさせる信号を出力する構成としたものである。これによってユーザーが自由に省電力モードと時刻機能とを選択できるようにしている。また、時刻の解除手段を備えた構成としているので、いつでも簡単に設定を切り替えることができる。
【００１１】
【発明の実施の形態】
請求項１に記載の発明は、上記構成により、機器を制御する制御手段と、この制御手段へ電力を供給する電源回路と、この電源回路と上記制御手段との間に設けられ制御手段への電力をＯＮ／ＯＦＦする電力開閉手段と、各種の設定を行うキー入力手段と、時刻設定を行う時刻設定手段とを備えており、前記電力開閉手段へＯＮ信号を出力し、制御手段へ電源が供給されることにより動作すると共に、前記電力開閉手段ＯＮさせる信号を出力することにより自己保持するようにしている。また一方、前記時刻設定手段により時刻設定がなされない場合でかつ、前記キー入力手段を所定時間、操作されない場合には前記電力開閉手段をＯＦＦさせる信号を出力する構成としており、省電力構成と時刻設定手段を設けることによりユーザーに省電力モードと時刻設定を選択できるようにしており、省電力の推進とユーザーの使い勝手を向上できる。
【００１２】
請求項２に記載の発明は、上記構成により、ドアを有し、ドアの開成／閉成に連動して動作するドアスイッチと、このドアスイッチの開成／閉成の遷移を検出するドア検出手段と、機器を制御する制御手段と、この制御手段へ電力を供給する電源回路と、この電源回路と上記制御手段との間に設けられ制御手段への電力をＯＮ／ＯＦＦする電力開閉手段と、各種の設定を行うキー入力手段と、時刻設定を行う時刻設定手段とを備えており、このドア検出手段は、ドアが開成／閉成の遷移を検出したとき前記電力開閉手段へＯＮ信号を出力し、制御手段へ電源が供給されることにより動作すると共に、前記電力開閉手段ＯＮさせる信号を出力することにより自己保持するようにしている。また一方、前記時刻設定手段により時刻設定がなされない場合でかつ、前記キー入力手段を所定時間、操作されない場合には前記電力開閉手段をＯＦＦさせる信号を出力する構成としており、省電力構成と時刻設定手段を設けることによりユーザーに省電力モードと時刻設定を選択できるようにしており、省電力の推進とユーザーの使い勝手を向上できる。
【００１３】
請求項３に記載の発明は、特に請求項１または２に記載の時刻設定手段の解除手段を備えることにより、ユーザーが自由に省電力モードと時刻設定を選択できるようにしており、使い勝手を向上できる。
【００１４】
【実施例】
以下本発明の実施例について、図面を参照しながら説明する。
【００１５】
（実施例）
以下、本発明の一実施例について図面を参照しながら説明する。
【００１６】
図１は、本発明の実施例における家電機器（電子レンジ）の制御回路の回路図を示すものである。なお、従来例と同様な構成には同一符号を付した。
【００１７】
図１において、７は商用電源、１５は食品を加熱するヒータ及びマグネトロンなどで構成された高周波発生源といった加熱手段、６は調理の設定を入力するキー入力手段であり複数のスイッチで構成してある。１６はキー操作により入力された調理設定を実行するために加熱手段１５を制御する制御手段、４は電源回路であり、Ｖ０を基準電位として制御手段１６の電源Ｖ１をつくっている。５は制御手段１６への電源の供給を開閉する電力開閉手段、１はドアの開閉に連動して動作するドアスイッチ、２はドアの開成／閉成の遷移を検出するドア検出手段、１７は加熱手段をＯＮ／ＯＦＦするリレーの接点、１８はリレーのコイル、１９は制御手段１６からの制御信号に基づきリレーを駆動するトランジスタである。２０は、時刻を設定するための時刻設定手段である。２１は、時刻の設定を解除するための時刻設定解除手段である。
【００１８】
次に動作、作用について説明する。図１は、ドアスイッチ１が閉じている状態のものである。また、食品を加熱調理していない待機状態においては、電力開閉手段５はＯＦＦ状態であり制御手段１６への電力供給は遮断されている。ドア検出手段２のコンデンサーＣ１には、共通端子ＣＯＭと常開接点ＮＯ及び抵抗Ｒ１を介してＶ１より電荷が貯えられている。
【００１９】
次にドアが開けると、ドア検出手段２のコンデンサーＣ１に貯えられた電荷が、共通端子ＣＯＭと常閉接点ＮＣ及び抵抗Ｒ１を介し電力開閉手段５に流れ込むことによりＯＮするものである。そして、制御回路１６への電源の供給が開始され起動する。次に制御回路１６は、電力開閉手段５をＯＮさせる信号を出力し電力供給が自己保持される。そして、調理設定の待ち受け状態となる。
【００２０】
次に電力供給状態から待機状態への遷移条件について説明する。基本的な待機状態への遷移条件は、時刻設定手段により時刻を設定されない状態でかつ、制御回路が有する非動作時（調理動作中以外）に動作するタイマーが、キー入力手段６から入力がない場合に起動し、予め設定されたタイマー時間を経過すると制御回路１６から電力開閉手段５にＯＦＦ信号を出力し、電力供給を遮断する。なわち待機状態へ遷移するようにした。
【００２１】
言い換えれば、時刻設定手段により時刻が設定されているときには、待機状態への遷移はしないようにしている。
【００２２】
また、時刻の設定を時刻設定解除手段により解除された場合は、上記タイマー機能により、キー入力手段６から入力がない場合には、予め設定されたタイマー時間を経過すると制御回路１６から電力開閉手段５にＯＦＦ信号を出力し、電力供給を遮断する。なわち待機状態へ遷移するようにした。そして、電力開閉手段５がＯＦＦした後に再びドアが開かれると、再び制御回路に電力を供給されるようにした。
【００２３】
次に、図２及び図３は、本発明の家電機器（電子レンジ）のコントロールパネル図を示すものである。
【００２４】
図２において、２２は、電子レンジの状態や、時刻を表示するための表示部である。２３は、調理加熱条件を設定するためのメニュー設定キーである。２４は、時刻の設定を行う時刻合せキー、２５は、時刻機能を解除するための時刻解除キーである。２６は、時刻設定ならびに調理加熱時間や、温度を設定するための設定手段である。
【００２５】
図３は、時刻設定ならびに解除機能を一つのキーで集約させた構成としている。２７が、時刻の設定と解除を集約させたキーである。時刻が設定されていない状態で押されると時刻設定機能となり、時刻が設定されている状態で押されると解除機能されるようにしている。
【００２６】
なお、本実施例のドア検出手段１６は電子回路を用いた一例であり、ドアの状態の遷移を機構的に検出する構成であってもよいのは勿論である。また、電子レンジ以外の洗濯機、衣類乾燥機、食器洗い乾燥機といった家電機器に応用してもよいことは言うまでもない。
【００２７】
【発明の効果】
以上のように本発明によれば、省電力構成と時刻設定手段と時刻設定の解除手段を設けることにより、ユーザーに省電力モードと時刻設定を選択できるようにした家電機器を提供することが可能となる。
【図面の簡単な説明】
【図１】本発明の実施例にける電子レンジの制御回路図
【図２】本発明の電子レンジのコントロールパネル図
【図３】本発明の電子レンジのコントロールパネル図
【図４】従来の電子レンジの制御回路図
【図５】従来の電子レンジの制御回路図
【符号の説明】
１  ドアスイッチ
２  ドア検出手段
４  電源回路
５  電力開閉手段
６  キー入力手段
２０  時刻設定手段
２１  時刻解除手段
【図１】
2004308952.tif 000003
【図２】
2004308952.tif 000004
【図３】
2004308952.tif 000005
【図４】
2004308952.tif 000006
【図５】
2004308952.tif 000007